(57)【要約】【課題】基板モジュールの取り付けを容易化する構造において、基板モジュールを取り付ける際の作業性に関する不具合を防止する。【解決手段】後壁板３０のガイド孔４４，５４が、基板モジュール１０，２０の嵌合部１６，２６における近接面１２，２２と平行な面の面積よりも広い面積にわたって上下左右方向に拡がった形状であることから、嵌合部１６，２６がガイド孔４４，５４と重なるように位置させることが容易である。そのため、基板モジュール１０，２０を後壁板３０に取り付ける際、嵌合部１６，２６とガイド孔４４，５４との位置を正確に合わせようとしなくても、容易に嵌合部１６，２６をガイド孔４４，４５へ嵌め込むことができる。よって、嵌合部１６，２６がガイド孔４４，５４に嵌るように基板モジュール１０，２０の位置を微調整する時間がかかることはなく、基板モジュール１０，２０の取り付けに要する時間を短縮できる。【選択図】図１
2010227629.tif 000002
【特許請求の範囲】
【請求項１】
遊技盤の裏側に位置する後壁板に基板モジュールが取り付けられる遊技機において、
後壁板および前記基板モジュールの遊技盤側それぞれの近接する近接面のうち、いずれか一方の近接面には、該近接面より凹んだ嵌合孔および該嵌合孔の一部分を塞ぐ板状の被嵌合部が形成され、いずれか他方の近接面には、該近接面から前記被嵌合部の厚さ以上に突出した突出部および該突出部から前記近接面に沿って延びる嵌合部が形成され、
さらに、前記いずれか一方の近接面には、該近接面よりも凹んでいるガイド孔が、前記嵌合部における前記近接面に沿った面積よりも広い面積にわたって上下方向および左右方向に拡がる大きさで、かつ、前記嵌合孔とつながって一つの孔となる位置に形成されており、
前記基板モジュールは、前記嵌合部が前記ガイド孔に嵌め込まれた状態で該ガイド孔から前記嵌合孔まで変位するようにスライドさせ、前記嵌合部が前記嵌合孔における前記被嵌合部よりも奥側に位置し、かつ、前記突出部が前記嵌合孔において前記被嵌合部により塞がれていない領域に位置した状態とすることによって前記後壁板に取り付けられる
ことを特徴とする基板モジュールの取付構造。
【請求項２】
前記ガイド孔は、該ガイド孔の上端が前記嵌合孔の上端以下の高さに位置しており、前記ガイド孔の外周部分のうち、前記嵌合孔の上端よりも低くなる部分から前記嵌合孔の外周部分へと至る領域が、直線形状または曲線形状となるように形成されている
ことを特徴とする請求項１に記載の基板モジュールの取付構造。
【請求項３】
前記ガイド孔は、該ガイド孔の下端が前記嵌合孔の下端以上の高さに位置しており、前記ガイド孔の外周部分のうち、前記嵌合孔の下端よりも高くなる部分から前記嵌合孔の外周部分へと至る領域が、直線形状または曲線形状となるように形成されている
ことを特徴とする請求項１に記載の基板モジュールの取付構造。
【請求項４】
前記ガイド孔は、前記嵌合部を嵌め込んだ状態で前記基板モジュールをスライド可能な範囲でスライドさせた際に、遊技盤の裏側に取り付けられる該基板モジュール以外の部品と該基板モジュールとが干渉しないように定められた位置関係で形成されている
ことを特徴とする請求項１から３のいずれかに記載の基板モジュール取付構造。
【請求項５】
前記後壁板には、前記基板モジュールが該後壁板において取り付けられる取付位置に到達するまでの間、該基板モジュールに押さえられて遊技盤の表側に向けて埋没した状態となる一方、前記基板モジュールが前記取付位置に到達したら、遊技盤の裏側に向けて突出して該基板モジュールの端部を押さえる状態となり、これにより前記基板モジュールが前記取付位置から変位することを規制する変位規制部が設けられている
ことを特徴とする請求項１から４のいずれかに記載の基板モジュール取付構造。
【請求項６】
前記嵌合孔は、前記基板モジュールが前記後壁板において取り付けられる取付位置に到達した際に前記嵌合部および前記突出部が位置する嵌合領域と、前記嵌合孔に到達した前記嵌合部を前記嵌合領域まで導くための導入領域と、からなり、前記嵌合領域には、該嵌合領域を前記ガイド孔から分断すると共に、前記嵌合部が前記嵌合領域から前記ガイド孔側へ変位することを規制する分断規制部が形成されている
ことを特徴とする請求項１から５のいずれかに記載の基板モジュール取付構造。
【請求項７】
前記基板モジュールおよび前記後壁板には、それぞれ前記後壁板に前記基板モジュールが取り付けられた際に重なり合う位置関係で貫通孔が形成されており、
前記後壁板に取り付けられた前記基板モジュールは、該基板モジュールおよび前記後壁板に形成された貫通孔を貫通するように取り付けられるカシメ部材により取り外し不能に
固定される
ことを特徴とする請求項１から６のいずれかに記載の基板モジュール取付構造。
【請求項８】
前記基板モジュールにおける前記貫通孔は、前記基板モジュール本体から前記近接面に沿って延びるモジュール側延出部に形成されている
ことを特徴とする請求項７に記載の基板モジュール取付構造。
【請求項９】
前記後壁板における前記貫通孔は、前記後壁板本体から前記近接面に沿って延びる壁板側延出部に形成されている
ことを特徴とする請求項８に記載の基板モジュール取付構造。
【請求項１０】
前記カシメ部材は、その一端側が、前記基板モジュールから前記後壁板に向けて前記貫通孔を通過する際に該貫通孔の内周部分に押されて弾性変形することで前記貫通孔を通過可能な形状となり、前記後壁板の前記貫通孔を通過して遊技盤の表側まで到達した際に前記貫通孔を通過不能な形状に戻るように構成され、また、その他端側が、前記貫通孔を通過不能な大きさのフランジ状に形成されており、
前記後壁板には、該後壁板の貫通孔を通過して遊技盤の表側へ突出した前記カシメ部材の一端側を覆い隠すカバー部が設けられており、
前記基板モジュールには、前記カシメ部材を収納すると共に、該カシメ部材の他端側を押圧して前記貫通孔から前記カシメ部材の一端側を突出させるための押圧孔を有する収納部が設けられている
ことを特徴とする請求項７から９のいずれかに記載の基板モジュール取付構造。
【請求項１１】
遊技盤の裏側に複数の基板モジュールが取り付けられる遊技機において、
前記複数の基板モジュールにおける前記貫通孔は、それぞれ前記後壁板に前記基板モジュールが取り付けられた際に該貫通孔が前記後壁板における同一の貫通孔と重なり合う位置関係となるように形成されている
ことを特徴とする請求項７から９のいずれかに記載の基板モジュール取付構造。
【請求項１２】
前記カシメ部材は、その一端側が、前記基板モジュールから前記後壁板に向けて前記貫通孔を通過する際に該貫通孔の内周部分に押されて弾性変形することで前記貫通孔を通過可能な形状となり、前記後壁板の前記貫通孔を通過して遊技盤の表側まで到達した際に前記貫通孔を通過不能な形状に戻るように構成され、また、その他端側が、前記貫通孔を通過不能な大きさのフランジ状に形成されており、
前記後壁板には、該後壁板の貫通孔を通過して遊技盤の表側へ突出した前記カシメ部材の一端側を覆い隠すカバー部が設けられており、
前記複数の基板モジュールのうちいずれかの基板モジュールには、前記カシメ部材を収納すると共に、該カシメ部材の他端側を押圧して前記貫通孔から前記カシメ部材の一端側を突出させるための押圧孔を有する収納部が設けられている
ことを特徴とする請求項１１に記載の基板モジュール取付構造。
【発明の詳細な説明】
【技術分野】
【０００１】
本発明は、遊技盤の裏側に基板モジュールを取り付けるための取付構造に関する。
【背景技術】
【０００２】
遊技機における遊技盤の裏面側には、遊技機の動作を制御する制御基板を収めた基板モジュールが取り付けられている。
このような基板モジュールを取り付けるための取付構造としては、例えば、遊技盤の裏側（裏カバー２３の下後壁部５４）に、左右方向に長い矩形状のガイド孔（ガイド凹部６７），および，ガイド孔内における一端側に配置された被嵌合部（係合部６９）を形成する一方、基板モジュール（制御基板モジュール３０）における遊技盤側の面に、この面から被嵌合部の厚さに相当する分だけ突出する突出部（被ガイド突部７４），および，この突出部から遊技盤の裏面に沿って延びる嵌合部（被係合部７５）を形成する、といった構造などが提案されている（特許文献１参照）。
【０００３】
このような構造であれば、基板モジュールにおける突出部および嵌合部を、遊技盤裏面のガイド孔に嵌め込んだ後、ガイド孔において被嵌合部が形成されている一端側へ向けて横方向へスライド（摺動）させることにより、この基板モジュールにおける嵌合部が遊技盤裏面の被嵌合部に嵌合（係合）し、こうして、基板モジュールを容易に遊技盤の裏面に取り付けることができる。
【先行技術文献】
【特許文献】
【０００４】
【特許文献１】特許第３４８７９６６号公報
【発明の概要】
【発明が解決しようとする課題】
【０００５】
ただ、上述の構造においては、ガイド孔の形状によって基板モジュールを取り付ける際の作業性に関する後述のような不具合が発生するにも拘わらず、特許文献１においてガイド孔の形状に関する詳細な説明がないことから、上述の構造は、嵌合部を被嵌合部の位置まで案内して基板モジュールの取り付けを容易にすることを目的とした構造ではあるが、作業性に関する不具合に着目したものでないといえる。なお、特許文献１の図３には、ガイド孔における上下方向の長さが嵌合部の上下方向の長さと同程度となっている構成が示されているが、この構成についての詳細な説明はなく、このことからも、特許文献１において、作業性に関する不具合に着目していないことは明らかである。
【０００６】
ここで、上述した「作業性に関する不具合」について説明すると、例えば、基板モジュールを遊技盤裏面に取り付ける作業を行う際は、初めに嵌合部をガイド孔に嵌め込むことになるが、この作業は、基板モジュールにおける嵌合部の形成された面を遊技盤裏面に向けて行う必要がある。そのため、基板モジュールの嵌合部は、基板モジュール自体と遊技盤に挟まれた状態となり、嵌合部とガイド部との位置関係を視認できなくなるため、作業者は、嵌合部がガイド部に嵌るまで手探りで基板モジュールの位置を調整することになる。
【０００７】
このとき、例えば、特許文献１の図３に示されるように、ガイド孔における上下方向の長さが嵌合部の上下方向の長さと同程度となっている構成であると、基板モジュールの位置を微調整するにあたり、嵌合部をガイド孔と正確に重ねなければ嵌合部をガイド孔に嵌め込むことはできない。これにより、微調整に時間がかかってしまい、結果的に基板モジュールの取り付けに要する時間が無用に長くなってしまう恐れがある。また、嵌合部が上下方向に僅かにズレた状態で強行に嵌合部をガイド孔に嵌め込まれてしまうことにより、嵌合部とガイド孔周辺とが接触してガイド孔周辺や嵌合部自体を破損させてしまう恐れも
ある。これらが上述した「作業性に関する不具合」である。
【０００８】
本発明は、このような課題を解決するためになされたものであり、その目的は、基板モジュールの取り付けを容易化する構造において、基板モジュールを取り付ける際の作業性に関する不具合を防止するための技術を提供することである。
【課題を解決するための手段】
【０００９】
上記課題を解決するため請求項１に記載の基板モジュールの取付構造は、遊技盤の裏側に位置する前記後壁板に基板モジュールが取り付けられる遊技機において、前記後壁板および前記基板モジュールの遊技盤側それぞれの近接する近接面のうち、いずれか一方の近接面には、該近接面より凹んだ嵌合孔および該嵌合孔の一部分を塞ぐ板状の被嵌合部が形成され、いずれか他方の近接面には、該近接面から前記被嵌合部の厚さ以上に突出した突出部および該突出部から前記近接面に沿って延びる嵌合部が形成され、さらに、前記いずれか一方の近接面には、該近接面よりも凹んでいるガイド孔が、前記嵌合部における前記近接面に沿った面積よりも広い面積にわたって上下方向および左右方向に拡がる大きさで、かつ、前記嵌合孔とつながって一つの孔となる位置に形成されている。そして、前記基板モジュールは、前記嵌合部が前記ガイド孔に嵌め込まれた状態で該ガイド孔から前記嵌合孔まで変位するようにスライドさせ、前記嵌合部が前記嵌合孔における前記被嵌合部よりも奥側に位置し、かつ、前記突出部が前記嵌合孔において前記被嵌合部により塞がれていない領域に位置した状態とすることによって前記後壁板に取り付けられる。
【００１０】
このように構成された取付構造においては、ガイド孔が、嵌合部における近接面に沿った面積よりも広い面積にわたって上下方向および左右方向に拡がった大きさとなっている。このように、左右方向だけでなく、上下方向にも拡がった大きさを有していることから、ガイド孔における上下方向の長さが嵌合部の上下方向の長さと同程度となっている構成と比べて、嵌合部がガイド孔と重なるように位置させることが容易に行える。そのため、基板モジュールを後壁板に取り付けるにあたり、嵌合部とガイド孔との位置合わせを正確に行わなくても、容易に嵌合部をガイド孔へ嵌め込むことができる。
【００１１】
よって、嵌合部がガイド孔に嵌るように基板モジュールの位置を微調整する時間が不必要に長くなってしまうことはなく、これにより、基板モジュールの取り付けに要する時間を短縮することができる。また、嵌合部とガイド孔との位置を正確に合わせる必要がないことから、嵌合部とガイド孔周辺とが接触した状態で強行して嵌合部がガイド孔に嵌め込まれるようなことも起こりにくく、結果、嵌合部とガイド孔周辺とが接触してガイド孔周辺や嵌合部が破損してしまうことを防止することもできる。
【００１２】
また、嵌合孔の外周部分へとつながるガイド孔の外周部分に、嵌合部または突出部を接触させ、この外周部分に沿って嵌合部および突出部がガイド孔に対して相対的に変位するように基板モジュールをスライドさせることによって、嵌合部および突出部をガイド孔から嵌合孔へと導くことができる。
【００１３】
なお、この構成において、ガイド孔は、請求項２に記載のように、該ガイド孔の上端が前記嵌合孔の上端以下の高さに位置しており、前記ガイド孔の外周部分のうち、前記嵌合孔の上端よりも低くなる部分から、前記嵌合孔の外周部分へと至る領域が、直線形状または曲線形状となるように形成されている、といった構成にするとよい。
【００１４】
このように構成すると、ガイド孔の外周部分のうち、嵌合孔の上端よりも低い部分から嵌合孔の外周部分へとつながる領域が、直線形状または曲線形状となっていることから、ガイド孔の外周部分が嵌合部または突出部により相対的に押し上げられるような方向へ基板モジュールをスライドさせることにより、この押し上げられる方向の力が上記直線形状
または曲線形状で横方向に向かう力に分割される。これにより、分割された横方向の力が、嵌合部または突出部を嵌合孔に向けて案内するように変位させるため、作業者は、ガイド孔の外周部分が押し上げられるような方向へ基板モジュールをスライドさせるだけで、横方向へのスライド量を考慮することなく、容易に基板モジュールを取り付けることができる。
【００１５】
さらに、この取付構造において、嵌合孔およびガイド孔が基板モジュールに形成されている構成であれば、ガイド孔の外周部分が嵌合孔または突出部に押し上げられる方向の力は、基板モジュールの自重により加えることができるため、作業者は、後壁板における嵌合部をガイド孔に嵌め込んだ後、この基板モジュールを自重に任せてスライドさせるだけで、より容易に基板モジュールを取り付けることができる。
【００１６】
また、上述した構成において、ガイド孔は、請求項３に記載のように、該ガイド孔の下端が前記嵌合孔の下端以上の高さに位置しており、前記ガイド孔の外周部分のうち、前記嵌合孔の下端よりも高くなる部分から、前記嵌合孔の外周部分へと至る領域が、直線形状または曲線形状となるように形成されている、といった構成にしてもよい。
【００１７】
このように構成すると、ガイド孔の外周部分のうち、嵌合孔の下端よりも高い部分から嵌合孔の外周部分へとつながる領域が、直線形状または曲線形状となっていることから、ガイド孔の外周部分が嵌合部または突出部により相対的に押し下げられるような方向へ基板モジュールをスライドさせることにより、この押し下げられる方向の力が上記直線形状または曲線形状で横方向に向かう力に分割される。これにより、分割された横方向の力が、嵌合部または突出部を嵌合孔に向けて案内するように変位させるため、作業者は、ガイド孔の外周部分が押し下げられる方向へ基板モジュールをスライドさせるだけで、横方向へのスライド量を考慮することなく、容易に基板モジュールを取り付けることができる。
【００１８】
さらに、この取付構造において、嵌合孔およびガイド孔が後壁板に形成されている構成であれば、ガイド孔の外周部分が嵌合孔または突出部に押し下げられる方向の力は、基板モジュールの自重により加えることができるため、作業者は、基板モジュールにおける嵌合部をガイド孔に嵌め込んだ後、この基板モジュールを自重に任せてスライドさせるだけで、より容易に基板モジュールを取り付けることができる。
【００１９】
ところで、上述した嵌合部および突出部をガイド部の外周部分に沿って変位させる際には、基板モジュールを後壁板に沿ってスライドさせることになるが、このとき、遊技盤の裏面に他の部品が取り付けられるような場合には、この部品が基板モジュールのスライドを妨げてしまい、嵌合部および突出部が変位できなくなってしまう恐れがある。
【００２０】
そこで、このような事態を防止するためには、ガイド孔の位置を請求項４に記載のようにするとよい。請求項４において、前記ガイド孔は、前記嵌合部を嵌め込んだ状態で前記基板モジュールをスライド可能な範囲でスライドさせた際に、遊技盤の裏側に取り付けられる該基板モジュール以外の部品と該基板モジュールとが干渉しないように定められた位置関係で形成されている。
【００２１】
このように構成すると、嵌合部を嵌め込んだ状態で基板モジュールをスライド可能な範囲でスライドさせたとしても、この基板モジュールが遊技盤の裏側に取り付けられる他の部品と干渉することはないため、基板モジュールのスライドが妨げられることにより嵌合部および突出部が変位できなくなってしまうことはない。
【００２２】
また、上述したように、基板モジュールを後壁板に取り付けたら、この基板モジュールが容易に外れないように構成しておくことが望ましい。そのためには、例えば、請求項５
に記載のように構成することが考えられる。
【００２３】
請求項５において、後壁板には、前記基板モジュールが該後壁板において取り付けられる取付位置に到達するまでの間、該基板モジュールに押さえられて遊技盤の表側に向けて埋没した状態となる一方、前記基板モジュールが前記取付位置に到達したら、遊技盤の裏側に向けて突出して該基板モジュールの端部を押さえる状態となり、これにより前記基板モジュールが前記取付位置から変位することを規制する変位規制部が設けられている。
【００２４】
このように構成すると、変位規制部は、基板モジュールが取付位置に到達するまでであれば、基板モジュールに押さえられて埋没するため、基板モジュールのスライドを妨げることはないが、基板モジュールが取付位置に到達したら、遊技盤の裏側に向けて突出して基板モジュールの端部を押さえるように作用する。これにより、変位規制部が基板モジュールの取付位置からの変位を規制するため、基板モジュールが外れてしまうことを防止できる。
【００２５】
また、基板モジュールが容易に外れないようにするための構成としては、請求項６に記載のような構成を考えることもできる。
請求項６において、前記嵌合孔は、前記基板モジュールが前記後壁板において取り付けられる取付位置に到達した際に前記嵌合部および前記突出部が位置する嵌合領域と、前記嵌合孔に到達した前記嵌合部を前記嵌合領域まで導くための導入領域と、からなり、前記嵌合領域には、該嵌合領域を前記ガイド孔から分断すると共に、前記嵌合部が前記嵌合領域から前記ガイド孔側へ変位することを規制する分断規制部が形成されている。
【００２６】
このように構成すると、基板モジュールが取付位置に到達したときに嵌合部および突出部が嵌合孔における嵌合領域に位置するが、この嵌合領域は、分断規制部によって、ガイド孔から分断され、かつ、嵌合部のガイド孔側への変位が規制されるため、嵌合部がガイド孔側へ変位することを防止し、これにより、基板モジュールが外れてしまうことを防止できる。
【００２７】
また、請求項７に記載の基板モジュール取付構造において、前記基板モジュールおよび前記後壁板には、それぞれ前記後壁板に前記基板モジュールが取り付けられた際に重なり合う位置関係で貫通孔が形成されており、前記後壁板に取り付けられた前記基板モジュールは、該基板モジュールおよび前記後壁板に形成された貫通孔を貫通するように取り付けられるカシメ部材により取り外し不能に固定される。
【００２８】
このように構成すれば、カシメ部材により基板モジュールが後壁板に取り外し不能に固定されるため、基板モジュールを後壁板に取り付けた以降、基板モジュールが正規のプログラムではないプログラムを記憶したものに交換されてしまうといった不正行為が容易に行われないようにすることができる。
【００２９】
なお、このようにして固定された基板モジュールにおいても、検査等の理由で取り外さなければならない事態が起こりうるため、基板モジュールの固定を容易に解除できるようにするために、例えば、請求項８に記載のように、前記基板モジュールにおける前記貫通孔は、前記基板モジュール本体から前記近接面に沿って延びるモジュール側延出部に形成されている、といった構成にするとよい。
【００３０】
このように構成した場合、基板モジュールを取り外す際に、モジュール側延出部を切断すれば、基板モジュールの固定を容易に解除することができる。
また、この構成において、基板モジュールの固定をより容易に解除するためには、例えば、請求項９に記載のように、前記後壁板における前記貫通孔は、前記後壁板本体から前
記近接面に沿って延びる壁板側延出部に形成されている、といった構成にするとよい。
【００３１】
このように構成した場合、カシメ部材による固定箇所が、後壁板および基板モジュールから延出部の分だけ離れた位置にあるため、基板モジュールを取り外す際に、これら延出部をまとめて切断するといった作業が行いやすく、これにより、基板モジュールの固定をより容易に解除することができる。
【００３２】
なお、このように基板モジュールの固定を解除することが行われうることから、同一の基板モジュールに対応する貫通孔および延出部については、複数セット形成しておき、基板モジュールを取り外す毎に別のセットによる基板モジュールの固定を行うことができるように構成することが望ましい。
【００３３】
また、上述のように、カシメ部材により固定する構造においては、基板モジュールを取り外し不能に固定することができるとはいえ、カシメ部材の端部が大きく露出していると、このカシメ部材のみを破壊して基板モジュールの固定を解除することができ、その後、新しいカシメ部材を使用することで不正なプログラムの記憶された基板モジュールの固定を行うことができてしまう。この場合、上述の貫通孔付近が損傷することはなく、カシメ部材も新しいものが使用されているため、外見上は、あたかも正規の基板モジュールが固定されたままのような状態になってしまう。
【００３４】
そこで、カシメ部材の端部が大きく露出しないようにするために、例えば、請求項１０に記載のような構成を考えることができる。
請求項１０に記載の基板モジュール取付構造において、前記カシメ部材は、その一端側が、前記基板モジュールから前記後壁板に向けて前記貫通孔を通過する際に該貫通孔の内周部分に押されて弾性変形することで前記貫通孔を通過可能な形状となり、前記後壁板の前記貫通孔を通過して遊技盤の表側まで到達した際に前記貫通孔を通過不能な形状に戻るように構成され、また、その他端側が、前記貫通孔を通過不能な大きさのフランジ状に形成されており、前記後壁板には、該後壁板の貫通孔を通過して遊技盤の表側へ突出した前記カシメ部材の一端側を覆い隠すカバー部が設けられており、前記基板モジュールには、前記カシメ部材を収納すると共に、該カシメ部材の他端側を押圧して前記貫通孔から前記カシメ部材の一端側を突出させるための押圧孔を有する収納部が設けられている。
【００３５】
このように構成すれば、カシメ部材により基板モジュールを固定した後、このカシメ部材における両端は、基板モジュールの収納部および後壁板のカバー部により覆われた状態となり、大きく露出しないため、カシメ部材のみを破壊して基板モジュールの固定を解除する、といったことが行い難くなる。
【００３６】
これにより、カシメ部材を破壊して不正なプログラムの記憶された基板モジュールへの交換を行うといったことを抑制できる。また、カシメ部材の破壊による不正な基板モジュールへの交換は、収納部またはカバー部を損傷させずに行うことが困難であることから、仮に不正な基板モジュールへの交換が行われたとしても、これらの損傷状態により不正な基板モジュールへの交換が行われたか否かを外見で判断することも可能となる。
【００３７】
ところで、上述したようにカシメ部材により基板モジュールを固定する構造においては、遊技機が遊技盤の裏側に複数の基板モジュールを取り付けるものである場合、後壁板に基板モジュールそれぞれに対応する貫通孔を個別に形成し、複数の基板モジュールをそれぞれ別々の貫通孔で固定するように構成すればよい。また、複数の基板モジュールを同一の貫通孔で固定するように構成することも考えられ、この場合、請求項１１に記載のように、前記複数の基板モジュールにおける前記貫通孔は、それぞれ前記後壁板に前記基板モジュールが取り付けられた際に該貫通孔が前記後壁板における同一の貫通孔と重なり合う
位置関係となるように形成されている、といった構成とすればよい。
【００３８】
このように構成すれば、複数の基板モジュールを同一のカシメ部材により、後壁板における同一の貫通孔に固定することができるため、基板モジュールを固定するための構成要素を少なくすることができる。
【００３９】
また、この構成においても、カシメ部材の端部が大きく露出しないようにするすることが望ましく、このためには、例えば、請求項１２に記載のような構成が考えられる。
請求項１２に記載の基板モジュール取付構造において、前記カシメ部材は、その一端側が、前記基板モジュールから前記後壁板に向けて前記貫通孔を通過する際に該貫通孔の内周部分に押されて弾性変形することで前記貫通孔を通過可能な形状となり、前記後壁板の前記貫通孔を通過して遊技盤の表側まで到達した際に前記貫通孔を通過不能な形状に戻るように構成され、また、その他端側が、前記貫通孔を通過不能な大きさのフランジ状に形成されており、前記後壁板には、該後壁板の貫通孔を通過して遊技盤の表側へ突出した前記カシメ部材の一端側を覆い隠すカバー部が設けられており、前記複数の基板モジュールのうちいずれかの基板モジュールには、前記カシメ部材を収納すると共に、該カシメ部材の他端側を押圧して前記貫通孔から前記カシメ部材の一端側を突出させるための押圧孔を有する収納部が設けられている。
【００４０】
このように構成すれば、カシメ部材により基板モジュールを固定した後、このカシメ部材における両端は、基板モジュールの収納部および後壁板のカバー部により覆われた状態となり、大きく露出しないため、カシメ部材のみを破壊して基板モジュールの固定を解除する、といったことが行い難くなる。
【００４１】
これにより、カシメ部材を破壊して不正なプログラムの記憶された基板モジュールへの交換を行うといったことを抑制できる。また、カシメ部材の破壊による不正な基板モジュールへの交換は、収納部またはカバー部を損傷させずに行うことが困難であることから、仮に不正な基板モジュールへの交換が行われたとしても、これらの損傷状態により不正な基板モジュールへの交換が行われたか否かを外見で判断することも可能となる。
【図面の簡単な説明】
【００４２】
【図１】第１実施形態における玉寄せを遊技盤裏側の方向から見た図
【図２】第１実施形態における電源基板モジュール（ａ）および払出基板モジュール（ｂ）の側面図および正面図
【図３】第１実施形態における玉寄せに各基板モジュールを取り付ける前の状態を示す図
【図４】変位規制部の構造を示す斜視図
【図５】後壁板に各基板モジュールを取り付ける際の手順を示す図
【図６】第２実施形態における玉寄せを遊技盤裏側の方向から見た図
【図７】第２実施形態において取付孔内を突出部が変位する経路を示す図
【図８】第３実施形態における玉寄せに各基板モジュールを取り付ける前（ａ）および後（ｂ）の状態を示す図
【図９】第３実施形態における電源基板モジュール（ａ）および払出基板モジュール（ｂ）の側面図および正面図，後壁板に基板モジュールを取り付けた状態を示す側面図（ｃ）
【図１０】図８におけるＡ−Ａ断面図；カシメ部材による固定前（ａ）およびカシメ部材による固定後（ｂ）
【図１１】第４実施形態における玉寄せに各基板モジュールを取り付ける前（ａ）および後（ｂ）の状態を示す図
【図１２】第４実施形態における電源基板モジュール（ａ）および払出基板モジュール（ｂ）の側面図および正面図
【図１３】図１１におけるＡ−Ａ断面図；カシメ部材による固定前（ａ）およびカシメ部材による固定後（ｂ）
【図１４】別の実施形態において後壁板に各基板モジュールを取り付ける際の手順を示す図
【図１５】別の実施形態における電源基板モジュール（ａ）および払出基板モジュール（ｂ）の側面図および正面図
【発明を実施するための形態】
【００４３】
以下に本発明の実施形態を図面と共に説明する。
［第１実施形態］
パチンコ機において、遊技盤の裏側に設けられる内枠機構を構成する玉寄せ１は、図１に示すように、遊技盤の裏側における下端側に取り付けられた電源基板モジュール１０および払出基板モジュール２０、遊技盤の裏側における下端側に固定されており上記基板モジュールそれぞれが取り付けられる後壁板３０などを備えている。
【００４４】
電源基板モジュール１０は、パチンコ機に対する電源供給を行う電源基板が収められるケース状のものであって、後壁板３０の左側領域に取り付けられる。この電源基板モジュール１０は、図２（ａ）に示すように、後壁板３０に近接する近接面１２に、この近接面１２から後壁板３０の厚さに相当する距離だけ突出する２つの突出部１４（１４ａ，１４ｂ）が縦一列に並べて設けられており、また、この突出部１４それぞれから近接面１２に沿って下方へ延びる嵌合部１６（１６ａ，１６ｂ）が設けられている。
【００４５】
払出基板モジュール２０は、パチンコ機における賞球の払出を制御する払出制御基板が収められたケース状のものであって、後壁板３０の右側領域に取り付けられる。この払出基板モジュール２０は、図２（ｂ）に示すように、後壁板３０に近接する近接面２２に、この近接面２２から後壁板３０の厚さに相当する距離だけ突出する４つの突出部２４（２４ａ〜２４ｄ）が縦二列に並べて設けられており、また、この突出部２４それぞれから近
接面２２に沿って下方へ延びる嵌合部２６（２６ａ〜２６ｄ）が設けられている。
【００４６】
後壁板３０には、図３に示すように、その左側領域において、電源基板モジュール１０を取り付けるために空けられた２つの電源基板取付孔４０（４０ａ，４０ｂ）が、縦一列に並べて設けられており、また、その右側領域において、払出基板モジュール２０を取り付けるために空けられた４つの払出基板取付孔５０（５０ａ〜５０ｄ）が、縦二列に配列されている。なお、この後壁板３０においては、各基板モジュール１０，２０に近接する領域（図３における手前側の面）が本発明における近接面となっている。
【００４７】
これら取付孔４０，５０は、上述の各基板モジュール１０，２０の突出部１４，２４が嵌合する嵌合孔４２，５２（４２ａ，４２ｂ，５２ａ〜５２ｄ）と、この嵌合孔４２，５２とつながって一つの孔を形成するガイド孔４４，５４（４４ａ，４４ｂ，５４ａ〜５４ｄ）と、からなる。
【００４８】
これらのうち、嵌合孔４２，５２は、上記基板モジュール１０，２０の突出部１４，２４が嵌る形状となっている。また、ガイド孔４４，５４は、各基板モジュール１０，２０の嵌合部１６，２６における近接面１２，２２と平行な面の面積よりも、少なくとも上下方向および左右方向に広い面積を有している。さらに、このガイド孔４４，５４は、その上端が嵌合孔４２，５２の上端と同じ高さに位置しており、その形状が、四角形の上辺を、嵌合孔４２，５２とつながる端部から反対の端部へ向けて下方へ緩やかにカーブさせた形状となっている。
【００４９】
また、ガイド孔４４，５４は、嵌合孔４２，５２から見て、このガイド孔４４，５４に取り付けられる以外の他の部品が存在しない端部側に位置するように形成されており、具体的にいうと、電源基板取付孔４０におけるガイド孔４４が嵌合孔４２の左側に位置し、払出基板取付孔５０におけるガイド孔５４が嵌合孔５２の右側に位置している。
【００５０】
また、後壁板３０には、各取付孔４０，５０の更に端部側それぞれに変位規制部６０が形成されている。この変位規制部６０は、図４に示すように、後壁板３０から遊技盤裏側の方向（図１，３における手前側）へ向けて突出する突出片６２と、この突出片６２を後壁板３０本体に連結する連結片６４と、からなる。この連結片６４は、突出片６２が遊技盤表側の方向（図１，３における奥側）に押されることにより弾性変形して後壁板３０本体側に埋没する
このような構成の玉寄せ１において、後壁板３０への各基板モジュール１０，２０の取り付けは、以下のような手順で行われる。
【００５１】
まず、電源基板モジュール１０における突出部１４および嵌合部１６それぞれを、後壁板３０における左側領域のガイド孔４４それぞれに嵌め込む（図５（ａ）参照）。このとき、後壁板３０の左端部側に形成されている変位規制部６０は、電源基板モジュール１０の近接面１２によって押されることにより、遊技盤の表側（図５における奥側）に向けて埋没した状態となる。
【００５２】
次に、電源基板モジュール１０を、後壁板３０における嵌合孔４２の方向へ向けてスライドさせる（図５（ｂ）参照）。本実施形態において、ガイド孔４４は、嵌合孔４２の左側に形成されているため、電源基板モジュール１０のスライド方向は、後壁板３０の左端部から右端部へ向かう方向となる。このとき、ガイド孔４４の左端部側に他の部品が存在していないため、突出部１４および嵌合部１６がガイド孔４４内をどのような経路で変位したとしても（図５（ａ）における二点鎖線で囲まれた範囲が可動範囲）、この変位に伴ってスライドする電源基板モジュール１０が、払出基板モジュール２０を含む他の部品と干渉することはない。
【００５３】
また、電源基板モジュール１０をスライドさせる方向は、電源基板モジュール１０における近接面１２と反対側の面に「取り付け方向」として右上に向かう矢印と共に記載されており、作業者は、この記載に従って電源基板モジュール１０をスライドさせることができる。なお、この基板モジュール１０，２０には、基板モジュール１０，２０を取り外すときのスライド方向が、「取り外し方向」として左下に向かう矢印と共に記載されているため、基板モジュール１０，２０を取り外す場合、作業者は、この記載に従って電源基板モジュール１０をスライドさせることができる。
【００５４】
そして、電源基板モジュール１０を、嵌合部１６が後壁板３０のうちの嵌合孔４２の下側に位置する領域４６に嵌合し、かつ、突出部１４が後壁板３０の嵌合孔４２に嵌るまでスライドさせることによって、電源基板モジュール１０が後壁板３０において取り付けられるべき取り付け位置に取り付けられる（図５（ｃ）参照）。
【００５５】
このとき、後壁板３０の左端部側に形成された変位規制部６０は、電源基板モジュール１０の近接面１２に押されなくなり、後壁板３０から遊技盤裏側の方向（図５における手前側）へ向けて突出片６２が突出した状態となる。これにより、この突出片６２は、電源基板モジュール１０の端部（図５における左端）を保持し、電源基板モジュール１０の左端部側への変位を規制するように作用する。
【００５６】
この後、同様の手順を経て払出基板モジュール２０を取り付けることによって（図５（ｄ）参照）、後壁板３０への各基板モジュール１０，２０の取り付けが終了する。なお、払出基板モジュール２０を取り付ける手順については、上記電源基板モジュール１０を取り付ける手順の説明のうち、「電源基板モジュール１０」，「突出部１４」，「嵌合部１６」，「近接面１２」，「左側領域」，「ガイド孔４４」，「右上に向かう矢印」，「左下に向かう矢印」，「図５における左端」，「左端部側への変位を規制」を、それぞれ「払出基板モジュール２０」，「突出部２４」，「嵌合部２６」，「近接面２２」，「右側領域」，「ガイド孔５４」，「左上に向かう矢印」，「右下に向かう矢印」，「図５における右端」，「右端部側への変位を規制」と読み替えるものとする。
【００５７】
なお、後壁板３０のうち、嵌合孔４２，５２の下側に位置する領域４６，５６は、基板モジュール１０，２０の嵌合部１６，２６が嵌合する部分であり、また、嵌合孔４２，５２の下方領域を塞ぐ被嵌合部として機能していることになる。つまり、嵌合孔４２，５２と嵌合孔４２，５２の下方領域とからなる空間が、本発明における嵌合孔である。
［第１実施形態の効果］
このように構成された玉寄せ１における基板モジュール１０，２０の取付構造においては、後壁板３０のガイド孔４４，５４が、基板モジュール１０，２０の嵌合部１６，２６における近接面１２，２２と平行な面の面積よりも広い面積にわたって上下方向および左右方向に拡がった大きさを有している。このように、左右方向だけでなく、上下方向にも拡がった大きさになっていることから、ガイド孔４４，５４における上下方向の長さが嵌合部１６，２６の上下方向の長さと同程度となっている構成と比べて、嵌合部１６，２６がガイド孔４４，５４と重なるように位置させることが容易に行える。そのため、基板モジュール１０，２０を後壁板３０に取り付けるにあたり、嵌合部１６，２６とガイド孔４４，５４との位置合わせを正確に行わなくても、容易に嵌合部１６，２６をガイド孔４４，４５へ嵌め込むことができる。
【００５８】
よって、嵌合部１６，２６がガイド孔４４，５４に嵌るように基板モジュール１０，２０の位置を微調整する時間が不必要に長くなってしまうことはなく、これにより、基板モジュール１０，２０の取り付けに要する時間を短縮することができる。また、嵌合部１６，２６とガイド孔４４，５４との位置を正確に合わせる必要がないことから、嵌合部１６
，２６とガイド孔４４，５４周辺とが接触した状態で強行して嵌合部１６，２６がガイド孔４４，５４に嵌め込まれるようなことも起こりにくく、結果、嵌合部１６，２６とガイド孔４４，５４周辺とが接触してガイド孔４４，５４周辺や嵌合部１６，２６が破損してしまうことを防止することもできる。
【００５９】
また、ガイド孔４４，５４と嵌合孔４２，５２とは、それぞれの外周部分が一体化するようにつながっているため、ガイド孔４４，５４の外周部分に突出部１４，２４を接触させたまま、この外周部分に沿って突出部１４，２４と共に基板モジュール１０，２０をスライドさせることによって、嵌合部１６，２６および突出部１４，２４をガイド孔４４，５４から嵌合孔４２，５２へと導くことができる。
【００６０】
特に、ガイド孔４４，５４の上部は、嵌合孔４２，５２の上端よりも低い位置から嵌合孔４２，５２の外周部分へとつながる曲線形状となっていることから、ガイド孔４４，５４の上部が突出部１４，２４により押し上げられるような方向へ基板モジュール１０，２０をスライドさせることにより、この押し上げられる方向の力が曲線形状で横方向に向かう力に分割される。そして、この分割された横方向の力が、突出部１４，２４を嵌合孔４２，５２に向けて案内するように変位させるため、作業者は、ガイド孔４４，５４の上部が押し上げられるような方向へ基板モジュール１０，２０をスライドさせるだけで、横方向へのスライド量を考慮することなく、容易に基板モジュール１０，２０を取り付けることができる。
【００６１】
また、ガイド孔４４，５４は、嵌合孔４２，５２から見て他の部品が存在していない端部側に位置しており、嵌合部１６，２６がガイド孔４４，５４内をどのような経路で変位したとしても、この変位に伴ってスライドする基板モジュール１０，２０が、他の部品と干渉しないようにガイド孔４４，５４と嵌合孔４２，５２との位置関係が定められている（図５における二点鎖線参照）。そのため、基板モジュール１０，２０における嵌合部１６，２６および突出部１４，２４の変位が、この基板モジュール以外の他の部品により妨げられることにより基板モジュール１０，２０がスライドできなくなってしまうことはない。
【００６２】
また、後壁板３０における各取付孔４０，５０の更に端部側にそれぞれ変位規制部６０が形成されている。この変位規制部６０は、基板モジュール１０，２０が取付位置に到達するまでであれば、この基板モジュールの近接面１２，２２に押されて埋没するため、基板モジュール１０，２０のスライドを規制することはないが、基板モジュール１０，２０が取付位置に到達すると、後壁板３０から突出して基板モジュール１０，２０の端部を押さえるように作用する。これにより、変位規制部６０が基板モジュール１０，２０の取付位置からの変位を規制するため、基板モジュール１０，２０が外れてしまうことを防止できる。
［第２実施形態］
本実施形態は、基板モジュール１０，２０が外れてしまうことを防止する構成を、後壁板３０の嵌合孔４２，５２により実現した点のみが、第１実施形態と相違する構成であるため、この相違点についてのみ詳述する。
【００６３】
本実施形態における嵌合孔４２，５２は、図６（ａ）に示すように、基板モジュール１０，２０を取付位置に到達させた際に突出部１４，２４が位置する嵌合領域７２，８２（７２ａ，７２ｂ，８２ａ〜８２ｄ）と、突出部１４，２４を嵌合領域７２，８２まで導くための導入領域７４，８４（７４ａ，７４ｂ，８４ａ〜８４ｄ）と、で形成されている。
【００６４】
そして、嵌合領域７２，８２は、後壁板３０のうちの嵌合孔４２，５２とガイド孔４４，５４とで挟まれた領域９０により、ガイド孔４４，５４から分断されている。
具体的にいうと、導入領域７４，８４は、嵌合領域７２，８２よりも上方でガイド孔４４，５４から導入領域７４，８４へ到達した突出部１４，２４が、嵌合領域７２，８２に相当する位置を通り過ぎるまで横方向へ変位し、嵌合領域７２，８２の上端まで下方向に変位して、嵌合領域７２，８２に相当する位置まで戻るように横方向へ変位した後、下方向へ変位することで嵌合領域７２，８２に到達するような形状となっている（図７における矢印参照）。
【００６５】
このような構成の玉寄せ１において、後壁板３０への各基板モジュール１０，２０の取り付けは、以下のような手順で行われる。なお、ここでは、電源基板モジュール１０を取り付ける場合を説明するものとし、払出基板モジュール２０を取り付ける手順については、電源基板モジュール１０を取り付ける場合と同様であるため省略する。
【００６６】
まず、電源基板モジュール１０における突出部１４および嵌合部１６を、後壁板３０における左側領域のガイド孔４４に嵌め込んだ後、後壁板３０における嵌合孔４２の方向へ向けてスライドさせる。
【００６７】
そして、電源基板モジュール１０を、嵌合部１６が嵌合孔４２，５２における嵌合領域７２の下側に位置する領域７６に嵌合し、かつ、突出部１４が嵌合孔４２の嵌合領域７２に位置するまでスライドさせることによって、電源基板モジュール１０が後壁板３０において取り付けられるべき取付位置に取り付けられる（図６（ｂ）参照）。このとき、電源基板モジュール１０は、上述したように突出部１４が導入領域７４を変位するようにスライドさせることとなる（図７参照）。
【００６８】
なお、後壁板３０のうち、嵌合孔４２，５２における嵌合領域７２，８２の下側に位置する領域７６，８６は、基板モジュール１０，２０の嵌合部１６，２６が嵌合する部分であり、また、嵌合領域７２，８２の下方領域を塞ぐ被嵌合部として機能していることになる。つまり、嵌合領域７２，８２と導入領域７４，８４と嵌合領域７２，８２の下方領域とからなる空間が、本発明における嵌合孔である。また、後壁板３０のうち、嵌合孔４２，５２とガイド孔４４，５４とで挟まれた領域９０は、嵌合領域７２，８２とガイド孔４４，５４とを分断する部分であり、また、嵌合領域７２，８２に到達した嵌合部１６，２６がガイド孔４４，５４側へ変位することを規制する分断規制部として機能していることになる。
［第２実施形態の効果］
このように構成された玉寄せ１における基板モジュール１０，２０の取付構造であれば、第１実施形態と同様の構成から得られる作用，効果の他に、以下に示すような作用，効果を得ることができる。
【００６９】
この取付構造であれば、基板モジュール１０，２０が取付位置に到達したとき、嵌合部１６，２６および突出部１４，２４が嵌合孔４２，５２における嵌合領域７２，８２に位置するが、この嵌合領域７２，８２は、後壁板３０のうちの導入領域７４，８４とガイド孔４４，５４とで挟まれた領域９０によって、ガイド孔４４，５４から分断され、かつ、嵌合部１６，２６のガイド孔４４，５４側への変位が規制されるため、嵌合部１６，２６がガイド孔４４，５４側へ変位することを防止し、これにより、基板モジュール１０，２０が外れてしまうことを防止できる。
［第３実施形態］
本実施形態は、基板モジュール１０，２０を後壁板３０に取り付けた後でカシメ構造により後壁板３０に固定できるように構成されている点のみが、第１実施形態と相違する構成であるため、この相違点についてのみ詳述する。なお、本実施形態においては、カシメ構造により基板モジュール１０，２０を固定することから、変位規制部６０を備えていないが、この変位規制部６０を併用した構成としてもよい。
【００７０】
本実施形態において、後壁板３０には、図８（ａ）に示すように、後壁板３０において基板モジュール１０，２０それぞれに対応する領域の下端から、後壁板３０の表面に沿って下方へ延びる棒状の壁板側延出部１１０，および，この壁板側延出部１１０の下端に設けられたカバー部１２０のセットが、それぞれ横一列に複数セット（本実施形態においては５セット）設けられている。
【００７１】
これらのうち、カバー部１２０は、図１０に示すように、後述するようにカシメ部材３００の一端側が通される貫通孔１２２が形成されており、この貫通孔１２２を通過してきたカシメ部材３００の一端側を覆い隠すことのできる筒状となっている。
【００７２】
また、基板モジュール１０，２０には、図９に示すように、それぞれ基板モジュール１０，２０の下端から近接面１２，２４に沿って下方へ延びる棒状のモジュール側延出部２１０，および，このモジュール側延出部２１０の下端に設けられた収納部２２０のセットが横一列に複数セット（本実施形態においては５セット）設けられている。
【００７３】
これらのうち、収納部２２０は、図１０（ａ）に示すように、その内部にカシメ部材３００が収納されており、このカシメ部材３００を近接面１２，２４側へ突出させるための貫通孔２２２と、後述するようにカシメ部材３００の他端側を押圧して貫通孔２２２からカシメ部材３００の一端側を突出させるための押圧孔２２４とが形成されたものである。なお、この押圧孔２２４は、カシメ部材３００が脱落しない程度の大きさで形成された小さな孔である。
【００７４】
なお、上述したモジュール側延出部２１０および収納部２２０は、基板モジュール１０，２０が後壁板３０に取り付けられた際に、後壁板３０の壁板側延出部１１０およびカバー部１２０それぞれと重なり（図９（ｃ）参照）、この状態で収納部２２０の貫通孔２２２が後壁板２０側の貫通孔１２２と重なるような位置関係で設けられている。
【００７５】
また、カシメ部材３００は、その一端側に、スリット３１０により二股に分割された形状の逆止片３２０が形成されており、他端側に、貫通孔２２２を通過不能な大きさのフランジ片３３０が形成されている。
【００７６】
このような構成の玉寄せ１においては、後壁板３０への各基板モジュール１０，２０の取り付けを第１実施形態と同様の手順で行った後（図８（ｂ）参照）、以下に示すように、基板モジュール１０，２０の後壁板３０への固定が行われる。
【００７７】
まず、収納部２２０の押圧孔２２４を通過可能な太さの棒を押圧孔２２４に通してカシメ部材３００の他端側を押圧することにより、カシメ部材３００の一端側（逆止片３２０）を貫通孔１２２，２２２に通過させる（図１０（ａ）参照）。ここで、逆止片３２０は、通常の状態では貫通孔１２２，２２２を通過不能な形状となっているが、基板モジュール１０，２０から後壁板３０に向けて貫通孔１２２，２２２を通過させる際に、この貫通孔１２２，２２２の内周部分に押されてスリット３１０を狭める方向に弾性変形し、貫通孔１２２，２２２を通過可能な形状となる。
【００７８】
その後、カシメ部材３００の一端側が後壁板３０の貫通孔１２２を通過して遊技盤の表側に到達するまでカシメ部材３００の他端側を押圧すると、逆止片３２０は、スリット３１０を拡げるようにして元の形状に戻る。このとき、後壁板３０の貫通孔１２２を通過してきた逆止片３２０が、後壁板３０において遊技盤の表側に位置する面に引っかかった状態となり、一方、フランジ片３３０が、基板モジュール１０，２０側の貫通孔２２２を通過できずに収納部２２０に引っかかった状態となるため、これにより、基板モジュール１
０，２０と後壁板３０とがカシメ部材３００により取り外し不能に固定される（図１０（ｂ）参照）。
【００７９】
なお、本実施形態においては、後壁板３０における壁板側延出部１１０およびカバー部１２０のセットと、基板モジュール１０，２０におけるモジュール側延出部２１０および収納部２２０のセットとが、それぞれ複数セット設けられているが、基板モジュール１０，２０の後壁板３０への固定に用いるのは、各セットそれぞれにおける一のものだけである。これは、基板モジュール１０，２０を固定した後であっても、これらを検査等の理由で取り外さなければならない事態が起こりうるからであり、このような取り外しを行う毎に、別のセットによる再度の固定を行うことができるようにするためである。
［第３実施形態の効果］
このように構成された玉寄せ１における基板モジュール１０，２０の取付構造であれば、第１実施形態と同様の構成から得られる作用，効果の他に、以下に示すような作用，効果を得ることができる。
【００８０】
この取付構造であれば、カシメ部材３００により基板モジュール１０，２０が後壁板３０に取り外し不能に固定されるため、基板モジュール１０，２０を後壁板３０に取り付けた以降、基板モジュール１０，２０が正規のプログラムではないプログラムを記憶したものに交換されてしまうといった不正行為が容易に行われないようにすることができる。
【００８１】
また、この取付構造であれば、カシメ部材３００による固定箇所が、後壁板３０および基板モジュール１０，２０から延出部１１０，２１０の分だけ離れた位置にあるため、基板モジュール１０，２０を検査等の理由で取り外す際に、これら延出部１１０，２１０をまとめて切断するといった作業が行いやすく、これにより、基板モジュール１０，２０の固定を容易に解除することができる。
【００８２】
また、カシメ部材３００により基板モジュール１０，２０を固定する構造とした場合、基板モジュール１０，２０を取り外し不能に固定することができるとはいえ、カシメ部材３００の端部が大きく露出していると、このカシメ部材３００のみを破壊して基板モジュール１０，２０の固定を解除することができ、その後、新しいカシメ部材３００を使用することで不正なプログラムの記憶された基板モジュール１０，２０の固定を行うことができてしまう。この場合、上述の貫通孔１２２，２２２付近が損傷することはなく、カシメ部材３００も新しいのもが使用されているため、外見上は、あたかも正規の基板モジュール１０，２０が固定されたままのような状態になってしまう虞がある。ところが、本実施形態のように、カシメ部材３００における両端が、基板モジュール１０，２０の収納部２２０および後壁板３０のカバー部１２０により覆われた状態となり、大きく露出しない構成であれば、カシメ部材３００のみを破壊して基板モジュール１０，２０の固定を解除する、といったことが行い難くなる。これにより、カシメ部材３００を破壊して不正なプログラムの記憶された基板モジュール１０，２０への交換を行うといったことを抑制できる。また、カシメ部材３００の破壊による不正な基板モジュール１０，２０への交換は、収納部２２０またはカバー部１２０を損傷させずに行うことが困難であることから、仮に不正な基板モジュール１０，２０への交換が行われたとしても、これらの損傷状態により不正な基板モジュール１０，２０への交換が行われたか否かを外見で判断することも可能となる。
［第４実施形態］
本実施形態は、基板モジュール１０，２０を後壁板３０に固定するカシメ構造が第３実施形態と異なっているだけであるため、この相違点についてのみ詳述する。なお、本実施形態においても、変位規制部６０を備えていないが、この変位規制部６０を併用した構成としてもよい。
【００８３】
本実施形態において、後壁板３０は、図１１（ａ）に示すように、基板モジュール１０，２０が取り付けられる領域それぞれの間に位置する領域に、上下方向に延びる貫通空間３２が形成されており、この貫通空間３２に左右方向へ向けて掛け渡されるように延びる棒状の壁板側延出部４１０，および，この壁板側延出部４１０の左右方向における中間位置に設けられたカバー部４２０のセットが縦一列に複数セット（本実施形態においては５セット）設けられている。
【００８４】
これらのうち、カバー部４２０は、図１３に示すように、後述のようにカシメ部材６００の一端側が通される貫通孔４２２が形成されており、この貫通孔４２２を通過してきたカシメ部材６００の一端側を覆い隠すことのできる筒状となっている。
【００８５】
また、基板モジュール１０には、図１２（ａ）に示すように、それぞれ後壁板３０に取り付けられた状態において基板モジュール２０に隣接する端部（図１１（ｂ）の右側）から近接面１２に沿って横方向へ延びる棒状のモジュール側延出部５１０が、縦一列で複数（本実施形態においては５）設けられている。このモジュール側延出部５１０は、その先端側に、後述するようにカシメ部材６００を近接面１４側へ突出させるための貫通孔５１２が形成されたものである。
【００８６】
また、基板モジュール２０には、図１２（ｂ）に示すように、それぞれ後壁板３０に取り付けられた状態において基板モジュール１０に隣接する端部（図１１（ｂ）の左側）から近接面２２に沿って横方向へ延びる棒状のモジュール側延出部５２０，および，このモジュール側延出部５２０の先端に設けられた収納部５３０のセットが、縦一列に複数セット（本実施形態においては５セット）設けられている。
【００８７】
これらのうち、収納部５３０は、図１３（ａ）に示すように、その内部にカシメ部材６００が収納されており、このカシメ部材６００を近接面２２側へ突出させるための貫通孔５３２と、後述するようにカシメ部材６００の他端側を押圧して貫通孔５３２からカシメ部材６００の一端側を突出させるための押圧孔５３４とが形成されたものである。なお、この押圧孔５３４は、カシメ部材６００が脱落しない程度の大きさで形成された小さな孔である。
【００８８】
なお、上述したモジュール側延出部５１０，５２０および収納部５３０は、基板モジュール１０，２０が後壁板３０に取り付けられた際に、後壁板３０における壁板側延出部４１０と重なり、この状態で各貫通孔５１２，５３２が後壁板３０における同一の貫通孔４２２と重なるような位置関係で設けられている（図１３参照）。
【００８９】
また、カシメ部材６００は、その一端側に、スリット６１０により二股に分割された形状の逆止片６２０が形成されており、他端側に、貫通孔５３２を通過不能な大きさのフランジ片６３０が形成されている。
【００９０】
このような構成の玉寄せ１においては、後壁板３０への各基板モジュール１０，２０の取り付けを第１実施形態と同様の手順で行った後（図１１（ｂ）参照）、第３実施形態と同様に、収納部５３０の押圧孔５３４を通過可能な太さの棒を押圧孔５３４に通してカシメ部材６００の他端側を、カシメ部材６００の一端側が貫通孔４２２，５１２，５３２を通過して遊技盤の表側に到達するまで押圧することになる（図１３（ａ）参照）。これにより、カシメ部材６００の逆止片６２０が後壁板３０において遊技盤の表側に位置する面に引っかかり、一方、フランジ片６３０が収納部５３０に引っかかった状態となって、基板モジュール１０，２０と後壁板３０とが取り外し不能に固定される（図１３（ｂ）参照）。
【００９１】
なお、本実施形態においても、第３実施形態と同様に、後壁板３０における壁板側延出部４１０およびカバー部４２０のセットと、基板モジュール１０，２０におけるモジュール側延出部５１０，５２０および収納部５３０のセットとが、それぞれ複数セット設けられているが、基板モジュール１０，２０の後壁板３０への固定に用いるのは、各セットそれぞれにおける一のものだけである。
［第４実施形態の効果］
このように構成された玉寄せ１における基板モジュール１０，２０の取付構造であれば、第３実施形態と同様の構成から得られる作用，効果の他に、以下に示すような作用，効果を得ることができる。
【００９２】
この取付構造であれば、基板モジュール１０，２０を、同一のカシメ部材６００により、後壁板３０における同一の貫通孔４２２に固定することができるため、基板モジュール１０，２０を固定するための構成要素を少なくすることができる。
【００９３】
［変形例］
以上、本発明の実施の形態について説明したが、本発明は、上記実施形態に何ら限定されることはなく、本発明の技術的範囲に属する限り種々の形態をとり得ることはいうまでもない。
【００９４】
例えば、上記実施形態においては、パチンコ機に本発明の取付構造を採用したものを例示したが、本発明の取付構造は、パチンコ機以外の遊技機に採用してもよい。
また、上記実施形態においては、ガイド孔４４，５４の上部が、嵌合孔４２，５２とつながる端部から反対の端部へ向けて下方へカーブした形状となっているものを例示した。しかし、このガイド孔４４，５４の上部については、下方へカーブさせた曲線形状に限られず、どのような形状であってもよい。例えば、嵌合孔４２，５２とつながる端部から反対の端部へ向けて斜め下方へ向かう直線形状としてもよい。
【００９５】
また、上記実施形態においては、後壁板３０におけるガイド孔４４，５４の上端が、嵌合孔４２，５２の上端と同じ高さに位置している構成を例示した。しかし、ガイド孔４４，５４の上端は、嵌合孔４２，５２の上端以下の高さであればよく、嵌合孔４２，５２の上端よりも低くなるように構成してもよい。この場合、ガイド孔４４，５４の外周部分のうち、嵌合孔４２，５２の上端よりも低くなる部分から嵌合孔４２，５２の外周部分へと至る領域を、直線形状または曲線形状となるように形成すればよい。
【００９６】
また、上記実施形態においては、ガイド孔４４，５４が嵌合孔４２，５２から見て他の部品が存在しない端部側に位置するように形成されたものを例示した。しかし、このガイド孔４４，５４は、嵌合部１６，２６がガイド孔４４，５４内を変位した際に基板モジュールが他の部品と干渉しなければ、どのような位置に形成してもよく、また、どのような形状で形成してもよい。
【００９７】
また、上記実施形態においては、後壁板３０のうち、嵌合孔４２，５２の下側に位置する領域４６，５６が、被嵌合部として機能するように構成されたものを例示した。しかし、専用の部材を被嵌合部として設けるように構成してもよい。例えば、嵌合孔４２，５２の下方領域を後壁板３０よりも薄い板状の部材で塞ぎ、この部材を被嵌合部として機能させてもよい。この場合、基板モジュール１０，２０の突出部１４，２４の突出量についても、この被嵌合部と同程度の厚さとすればよい。この構成であれば、基板モジュール１０，２０の突出部１４，２４を、嵌合孔４２，５２の下方領域を塞ぐ部材，および，後壁板３０における嵌合孔４２，５２周辺の領域で形成された空間に嵌め込んだ状態で固定することができるため、変位規制部６０が不要な構成とすることもできる。
【００９８】
また、上記第１実施形態においては、変位規制部６０が各取付孔４０，５０の更に端部側に形成されているものを例示した。しかし、この変位規制部６０は、同様の機能を実現できるのであれば、各取付孔４０，５０の端部側以外の位置に形成してもよい。例えば、各取付孔４０，５０の下側に形成することが考えられる。
【００９９】
また、上記第２実施形態において、嵌合孔４２，５２における導入領域７４，８４の形状は、上述したような形状に限られず、同様の機能を実現できるのであれば、どのような形状としてもよい。
【０１００】
また、上記第３，第４実施形態においては、後壁板３０におけるカバー部１２０，４２０が、壁板側延出部１１０，４１０により後壁板３０本体と連結された構成となっているものを例示した。しかし、このカバー部１２０，４２０が、後壁板３０に直接設けられた構成としてもよい。この場合、基板モジュール１０，２０を取り外す際、モジュール側延出部２１０，５１０，５２０のみを切断することで、基板モジュール１０，２０の固定を解除することができる。
【０１０１】
また、上記実施形態において、後壁板３０のガイド孔４４，５４は、四角形の上辺を、嵌合孔４２，５２とつながる端部から反対の端部へ向けて下方へカーブさせた形状となっているものを例示した。しかし、ガイド孔４４，５４の形状は、例えば、図１４に示すように、その下端が、嵌合孔４２，５２の下端以上の高さに位置し、その形状が、四角形の下辺を、嵌合孔４２，５２とつながる端部から反対の端部へ向けて上方へ緩やかにカーブした曲線形状（または、斜め上方へ向かう直線形状）としてもよい。なお、この構成において、基板モジュール１０，２０の嵌合部１６，２６については、近接面１２，２２に沿って下方へ延びる形状であってもよいが、図１５に示すように、基板モジュール１０，２０の嵌合部１６，２６を、近接面１２，２２に沿って上方へ延びる形状としてもよい。
【０１０２】
このように構成すると、ガイド孔４４，５４の外周部分のうち、嵌合孔４２，５２の下端よりも高い部分から嵌合孔４２，５２の外周部分へとつながる領域が、曲線形状（または直線形状）となっていることから、この領域が突出部１４，２４により押し下げられるような方向へ基板モジュール１０，２０をスライドさせることにより、この押し下げられる方向の力が曲線形状（または直線形状）で横方向に向かう力に分割される。そして、この分割された横方向の力が、突出部１４，２４または嵌合部１６，２６を嵌合孔４２，５２に向けて案内するように変位させるため、作業者は、ガイド孔４４，５４の下辺が押し下げられるような方向へ基板モジュール１０，２０をスライドさせるだけで、横方向へのスライド量を考慮することなく、容易に基板モジュール１０，２０を取り付けることができる。
【０１０３】
さらに、この構成であれば、ガイド孔４４，５４の下辺が突出部１４，２４に押し下げられる方向の力は、基板モジュール１０，２０の自重により加えることができるため、作業者は、基板モジュール１０，２０の嵌合部１６，２６をガイド孔４４，５４に嵌め込んだ後、この基板モジュール１０，２０を自重に任せて下方向へスライドさせるだけで、より容易に基板モジュール１０，２０を取り付けることができる。
【０１０４】
また、上記実施形態においては、突出部１４,２４および嵌合部１６，２６が基板モジ
ュール１０，２０側に設けられ、ガイド孔４４，５４および嵌合孔４２，５２が後壁板３０側に設けられたものを例示した。しかし、突出部１４，２４および嵌合部１６，２６が後壁板３０側に設けられ、ガイド孔４４，５４および嵌合孔４２，５２が基板モジュール１０，２０側に設けられた構成としてもよい。
【符号の説明】
【０１０５】
１…玉寄せ、１０…電源基板モジュール、１２…近接面、１４…突出部、１６…嵌合部、２０…払出基板モジュール、２２…近接面、２４…突出部、２６…嵌合部、３０…後壁板、３２…貫通空間、４０…電源基板取付孔、４４…ガイド孔、４６…領域、５０…払出基板取付孔、５２…嵌合孔、５４…ガイド孔、６０…変位規制部、６２…突出片、６４…連結片、７２…嵌合領域、７４…導入領域、７６…領域、７８…領域、９０…領域、１１０…壁板側延出部、１２０…カバー部、１２２…貫通孔、２１０…モジュール側延出部、２２０…収納部、２２２…貫通孔、２２４…押圧孔、３００…カシメ部材、３１０…スリット、３２０…逆止片、３３０…フランジ片、４１０…壁板側延出部、４２０…カバー部、４２２…貫通孔、５１０…モジュール側延出部、５１２…貫通孔、５２０…モジュール側延出部、５２４…押圧孔、５３０…収納部、５３２…貫通孔、５３４…押圧孔、５５０…収納部、６００…カシメ部材、６１０…スリット、６２０…逆止片、６３０…フランジ片。
【図１】
2010227629.tif 000003
【図２】
2010227629.tif 000004
【図３】
2010227629.tif 000005
【図４】
2010227629.tif 000006
【図５】
2010227629.tif 000007
【図６】
2010227629.tif 000008
【図７】
2010227629.tif 000009
【図８】
2010227629.tif 000010
【図９】
2010227629.tif 000011
【図１０】
2010227629.tif 000012
【図１１】
2010227629.tif 000013
【図１２】
2010227629.tif 000014
【図１３】
2010227629.tif 000015
【図１４】
2010227629.tif 000016
【図１５】
2010227629.tif 000017
【手続補正書】
【提出日】平成22年8月4日(2010.8.4)
【手続補正１】
【補正対象書類名】明細書
【補正対象項目名】００２７
【補正方法】変更
【補正の内容】
【００２７】
また、請求項１に記載の基板モジュール取付構造において、前記基板モジュールおよび前記後壁板には、それぞれ前記後壁板に前記基板モジュールが取り付けられた際に重なり合う位置関係で貫通孔が形成されており、前記後壁板に取り付けられた前記基板モジュールは、該基板モジュールおよび前記後壁板に形成された貫通孔を貫通するように取り付けられるカシメ部材により取り外し不能に固定される。
【手続補正２】
【補正対象書類名】明細書
【補正対象項目名】００２９
【補正方法】変更
【補正の内容】
【００２９】
なお、このようにして固定された基板モジュールにおいても、検査等の理由で取り外さなければならない事態が起こりうるため、基板モジュールの固定を容易に解除できるようにするために、例えば、請求項７に記載のように、前記基板モジュールにおける前記貫通孔は、前記基板モジュール本体から前記近接面に沿って延びるモジュール側延出部に形成されている、といった構成にするとよい。
【手続補正３】
【補正対象書類名】明細書
【補正対象項目名】００３０
【補正方法】変更
【補正の内容】
【００３０】
このように構成した場合、基板モジュールを取り外す際に、モジュール側延出部を切断すれば、基板モジュールの固定を容易に解除することができる。
また、この構成において、基板モジュールの固定をより容易に解除するためには、例えば、請求項８に記載のように、前記後壁板における前記貫通孔は、前記後壁板本体から前記近接面に沿って延びる壁板側延出部に形成されている、といった構成にするとよい。
【手続補正４】
【補正対象書類名】明細書
【補正対象項目名】００３４
【補正方法】変更
【補正の内容】
【００３４】
そこで、カシメ部材の端部が大きく露出しないようにするために、例えば、請求項９に記載のような構成を考えることができる。
請求項９に記載の基板モジュール取付構造において、前記カシメ部材は、その一端側が、前記基板モジュールから前記後壁板に向けて前記貫通孔を通過する際に該貫通孔の内周部分に押されて弾性変形することで前記貫通孔を通過可能な形状となり、前記後壁板の前記貫通孔を通過して遊技盤の表側まで到達した際に前記貫通孔を通過不能な形状に戻るように構成され、また、その他端側が、前記貫通孔を通過不能な大きさのフランジ状に形成されており、前記後壁板には、該後壁板の貫通孔を通過して遊技盤の表側へ突出した前記カシメ部材の一端側を覆い隠すカバー部が設けられており、前記基板モジュールには、前記カシメ部材を収納すると共に、該カシメ部材の他端側を押圧して前記貫通孔から前記カシメ部材の一端側を突出させるための押圧孔を有する収納部が設けられている。
【手続補正５】
【補正対象書類名】明細書
【補正対象項目名】００３７
【補正方法】変更
【補正の内容】
【００３７】
ところで、上述したようにカシメ部材により基板モジュールを固定する構造においては、遊技機が遊技盤の裏側に複数の基板モジュールを取り付けるものである場合、後壁板に基板モジュールそれぞれに対応する貫通孔を個別に形成し、複数の基板モジュールをそれぞれ別々の貫通孔で固定するように構成すればよい。また、複数の基板モジュールを同一の貫通孔で固定するように構成することも考えられ、この場合、請求項１０に記載のように、前記複数の基板モジュールにおける前記貫通孔は、それぞれ前記後壁板に前記基板モジュールが取り付けられた際に該貫通孔が前記後壁板における同一の貫通孔と重なり合う位置関係となるように形成されている、といった構成とすればよい。
【手続補正６】
【補正対象書類名】明細書
【補正対象項目名】００３９
【補正方法】変更
【補正の内容】
【００３９】
また、この構成においても、カシメ部材の端部が大きく露出しないようにするすることが望ましく、このためには、例えば、請求項１１に記載のような構成が考えられる。
請求項１１に記載の基板モジュール取付構造において、前記カシメ部材は、その一端側が、前記基板モジュールから前記後壁板に向けて前記貫通孔を通過する際に該貫通孔の内周部分に押されて弾性変形することで前記貫通孔を通過可能な形状となり、前記後壁板の前記貫通孔を通過して遊技盤の表側まで到達した際に前記貫通孔を通過不能な形状に戻るように構成され、また、その他端側が、前記貫通孔を通過不能な大きさのフランジ状に形成されており、前記後壁板には、該後壁板の貫通孔を通過して遊技盤の表側へ突出した前記カシメ部材の一端側を覆い隠すカバー部が設けられており、前記複数の基板モジュールのうちいずれかの基板モジュールには、前記カシメ部材を収納すると共に、該カシメ部材の他端側を押圧して前記貫通孔から前記カシメ部材の一端側を突出させるための押圧孔を有する収納部が設けられている。
【手続補正７】
【補正対象書類名】特許請求の範囲
【補正対象項目名】全文
【補正方法】変更
【補正の内容】
【特許請求の範囲】
【請求項１】
遊技盤の裏側に位置する後壁板に基板モジュールが取り付けられる遊技機において、
後壁板および前記基板モジュールの遊技盤側それぞれの近接する近接面のうち、いずれか一方の近接面には、該近接面より凹んだ嵌合孔および該嵌合孔の一部分を塞ぐ板状の被嵌合部が形成され、いずれか他方の近接面には、該近接面から前記被嵌合部の厚さ以上に突出した突出部および該突出部から前記近接面に沿って延びる嵌合部が形成され、
さらに、前記いずれか一方の近接面には、該近接面よりも凹んでいるガイド孔が、前記嵌合部における前記近接面に沿った面積よりも広い面積にわたって上下方向および左右方向に拡がる大きさで、かつ、前記嵌合孔とつながって一つの孔となる位置に形成されており、
前記基板モジュールは、前記嵌合部が前記ガイド孔に嵌め込まれた状態で該ガイド孔から前記嵌合孔まで変位するようにスライドさせ、前記嵌合部が前記嵌合孔における前記被嵌合部よりも奥側に位置し、かつ、前記突出部が前記嵌合孔において前記被嵌合部により塞がれていない領域に位置した状態とすることによって前記後壁板に取り付けられ、
前記基板モジュールおよび前記後壁板には、それぞれ前記後壁板に前記基板モジュールが取り付けられた際に重なり合う位置関係で貫通孔が形成されており、
前記後壁板に取り付けられた前記基板モジュールは、該基板モジュールおよび前記後壁板に形成された貫通孔を貫通するように取り付けられるカシメ部材により取り外し不能に固定される
ことを特徴とする基板モジュールの取付構造。
【請求項２】
前記ガイド孔は、該ガイド孔の上端が前記嵌合孔の上端以下の高さに位置しており、前記ガイド孔の外周部分のうち、前記嵌合孔の上端よりも低くなる部分から前記嵌合孔の外周部分へと至る領域が、直線形状または曲線形状となるように形成されている
ことを特徴とする請求項１に記載の基板モジュールの取付構造。
【請求項３】
前記ガイド孔は、該ガイド孔の下端が前記嵌合孔の下端以上の高さに位置しており、前記ガイド孔の外周部分のうち、前記嵌合孔の下端よりも高くなる部分から前記嵌合孔の外周部分へと至る領域が、直線形状または曲線形状となるように形成されている
ことを特徴とする請求項１に記載の基板モジュールの取付構造。
【請求項４】
前記ガイド孔は、前記嵌合部を嵌め込んだ状態で前記基板モジュールをスライド可能な範囲でスライドさせた際に、遊技盤の裏側に取り付けられる該基板モジュール以外の部品と該基板モジュールとが干渉しないように定められた位置関係で形成されている
ことを特徴とする請求項１から３のいずれかに記載の基板モジュール取付構造。
【請求項５】
前記後壁板には、前記基板モジュールが該後壁板において取り付けられる取付位置に到達するまでの間、該基板モジュールに押さえられて遊技盤の表側に向けて埋没した状態となる一方、前記基板モジュールが前記取付位置に到達したら、遊技盤の裏側に向けて突出して該基板モジュールの端部を押さえる状態となり、これにより前記基板モジュールが前記取付位置から変位することを規制する変位規制部が設けられている
ことを特徴とする請求項１から４のいずれかに記載の基板モジュール取付構造。
【請求項６】
前記嵌合孔は、前記基板モジュールが前記後壁板において取り付けられる取付位置に到達した際に前記嵌合部および前記突出部が位置する嵌合領域と、前記嵌合孔に到達した前記嵌合部を前記嵌合領域まで導くための導入領域と、からなり、前記嵌合領域には、該嵌合領域を前記ガイド孔から分断すると共に、前記嵌合部が前記嵌合領域から前記ガイド孔側へ変位することを規制する分断規制部が形成されている
ことを特徴とする請求項１から５のいずれかに記載の基板モジュール取付構造。
【請求項７】
前記基板モジュールにおける前記貫通孔は、前記基板モジュール本体から前記近接面に沿って延びるモジュール側延出部に形成されている
ことを特徴とする請求項１から６のいずれかに記載の基板モジュール取付構造。
【請求項８】
前記後壁板における前記貫通孔は、前記後壁板本体から前記近接面に沿って延びる壁板側延出部に形成されている
ことを特徴とする請求項７に記載の基板モジュール取付構造。
【請求項９】
前記カシメ部材は、その一端側が、前記基板モジュールから前記後壁板に向けて前記貫通孔を通過する際に該貫通孔の内周部分に押されて弾性変形することで前記貫通孔を通過可能な形状となり、前記後壁板の前記貫通孔を通過して遊技盤の表側まで到達した際に前記貫通孔を通過不能な形状に戻るように構成され、また、その他端側が、前記貫通孔を通過不能な大きさのフランジ状に形成されており、
前記後壁板には、該後壁板の貫通孔を通過して遊技盤の表側へ突出した前記カシメ部材の一端側を覆い隠すカバー部が設けられており、
前記基板モジュールには、前記カシメ部材を収納すると共に、該カシメ部材の他端側を押圧して前記貫通孔から前記カシメ部材の一端側を突出させるための押圧孔を有する収納部が設けられている
ことを特徴とする請求項１から８のいずれかに記載の基板モジュール取付構造。
【請求項１０】
遊技盤の裏側に複数の基板モジュールが取り付けられる遊技機において、
前記複数の基板モジュールにおける前記貫通孔は、それぞれ前記後壁板に前記基板モジュールが取り付けられた際に該貫通孔が前記後壁板における同一の貫通孔と重なり合う位置関係となるように形成されている
ことを特徴とする請求項１から８のいずれかに記載の基板モジュール取付構造。
【請求項１１】
前記カシメ部材は、その一端側が、前記基板モジュールから前記後壁板に向けて前記貫通孔を通過する際に該貫通孔の内周部分に押されて弾性変形することで前記貫通孔を通過可能な形状となり、前記後壁板の前記貫通孔を通過して遊技盤の表側まで到達した際に前記貫通孔を通過不能な形状に戻るように構成され、また、その他端側が、前記貫通孔を通過不能な大きさのフランジ状に形成されており、
前記後壁板には、該後壁板の貫通孔を通過して遊技盤の表側へ突出した前記カシメ部材の一端側を覆い隠すカバー部が設けられており、
前記複数の基板モジュールのうちいずれかの基板モジュールには、前記カシメ部材を収納すると共に、該カシメ部材の他端側を押圧して前記貫通孔から前記カシメ部材の一端側を突出させるための押圧孔を有する収納部が設けられている
ことを特徴とする請求項１０に記載の基板モジュール取付構造。